【手続補正書】
【提出日】平成16年6月25日(2004.6.25)
【手続補正１】
【補正対象書類名】明細書
【補正対象項目名】発明の名称
【補正方法】変更
【補正の内容】
【発明の名称】情報処理装置および情報処理方法、リーダ／ライタおよびアクセス方法、並びに記録媒体
【手続補正２】
【補正対象書類名】明細書
【補正対象項目名】特許請求の範囲
【補正方法】変更
【補正の内容】
【特許請求の範囲】
【請求項１】
所定のシステムを提供するプロバイダの装置からのコマンドを受信する受信手段と、
前記コマンドを処理する処理手段と、
前記処理の結果を送信する送信手段と、
前記プロバイダの装置が利用するデータを記憶するとともに、1以上のユーザブロックが所定の大きさの単位で管理されるユーザブロック領域と、前記ユーザブロックの利用を定義する領域定義ブロック領域が形成される記憶手段と
を備え、
前記領域定義ブロック領域は、複数の領域定義ブロックからなり、
各々の領域定義ブロックには、利用するユーザブロックを規定するデータおよび前記ユーザブロックへのアクセス権を規定するデータが記憶され、
前記領域定義ブロック領域に記録されている前記データを利用して前記コマンドが処理される
ことを特徴とする情報処理装置。
【請求項２】
前記ユーザブロック領域は、前記領域定義ブロック領域として使用されていない空き領域に割り当てられて形成される
ことを特徴とする請求項１に記載の情報処理装置。
【請求項３】
複数の前記領域定義ブロックは、各々の前記プロバイダに対して、それぞれ異なるアクセス権を規定する
ことを特徴とする請求項１に記載の情報処理装置。
【請求項４】
前記コマンドは、前記アクセス権を規定するデータが異なる２以上の領域定義ブロックを利用して処理される
ことを特徴とする請求項３に記載の情報処理装置。
【請求項５】
前記アクセス権を規定するデータは、前記ユーザブロック領域のユーザブロックに対するリード／ライトまたはリードオンリのいずれかのアクセスを規定するデータである
ことを特徴とする請求項４に記載の情報処理装置。
【請求項６】
所定のシステムを提供するプロバイダの装置が利用するデータを記憶するとともに、１以上のユーザブロックが所定の大きさの単位で管理されるユーザブロック領域と、前記ユーザブロックの利用を定義する領域定義ブロック領域が形成される記憶手段であって、前記領域定義ブロック領域は、複数の領域定義ブロックからなり、各々の領域定義ブロックには、利用するユーザブロックを規定するデータおよび前記ユーザブロックへのアクセス権を規定するデータが記憶される記憶手段を備える情報処理装置の情報処理方法において、
前記プロバイダの装置からのコマンドを受信する受信ステップと、
前記領域定義ブロック領域を利用して、前記コマンドを処理する処理ステップと、
前記処理の結果を送信する送信ステップと
を含むことを特徴とする情報処理方法。
【請求項７】
所定のシステムを提供するプロバイダの装置が利用するデータを記憶するとともに、１以上のユーザブロックが所定の大きさの単位で管理されるユーザブロック領域と、前記ユーザブロックの利用を定義する領域定義ブロック領域が形成される記憶手段であって、前記領域定義ブロック領域は、複数の領域定義ブロックからなり、各々の領域定義ブロックには、利用するユーザブロックを規定するデータおよび前記ユーザブロックへのアクセス権を規定するデータが記憶される記憶手段を備える情報処理装置の情報処理用のプログラムにおいて、
前記プロバイダの装置からのコマンドの受信を制御する受信制御ステップと、
前記領域定義ブロック領域を利用して、前記コマンドを処理する処理ステップと、
前記処理の結果の送信を制御する送信制御ステップと
を含むことを特徴とするコンピュータが読み取り可能なプログラムが記録されている記録媒体。
【請求項８】
１以上のユーザブロックが所定の大きさのブロック単位で管理され、所定のシステムを提供するプロバイダの装置が利用するデータが記憶されるユーザブロック領域が形成される記憶手段を備える情報処理装置の前記ユーザブロック領域にアクセスするためのリーダ/ライタであって、
前記情報処理装置に送信する送信データおよび前記情報処理装置から受信した受信データの処理を行うデータ処理手段と、
前記送信データを変調する変調手段と、
前記受信データを復調する復調手段と
を含み、
前記送信データは、前記記憶手段の領域定義ブロックに記憶されている、前記ユーザブロックを規定するデータおよび前記ユーザブロックへのアクセス権を規定するデータに基づいて制御される前記ユーザブロックにアクセスするためのコマンドである
ことを特徴とするリーダ/ライタ。
【請求項９】
前記コマンドは、互いに異なる２以上の前記領域定義ブロックに記憶されている、前記アクセス権を規定するデータを基に前記ユーザブロック領域にアクセスするためのコマンドである
ことを特徴とする請求項８に記載の情報処理装置。
【請求項１０】
１以上のユーザブロックが所定の大きさのブロック単位で管理され、所定のシステムを提供するプロバイダの装置が利用するデータが記憶されるユーザブロック領域が形成される記憶手段を備える情報処理装置の前記ユーザブロック領域にアクセスするアクセス方法であって、
前記情報処理装置に呼びかけを行う呼びかけステップと、
前記呼びかけに応答した前記情報処理装置に対し、コマンドを送信する送信ステップと、
前記情報処理装置により処理された前記コマンドに対する送信結果を受信する受信ステップと、
前記送信結果を処理する処理ステップと
を含み、
前記送信データは、前記記憶手段の領域定義ブロックに記憶されている、前記ユーザブロックを規定するデータおよび前記ユーザブロックへのアクセス権を規定するデータに基づいて制御される前記ユーザブロックにアクセスするためのコマンドである
ことを特徴とするアクセス方法。
【請求項１１】
前記コマンドは、互いに異なる２以上の前記領域定義ブロックに記憶されている、前記アクセス権を規定するデータを基に、前記ユーザブロック領域にアクセスするためのコマンドである
ことを特徴とする請求項１０に記載のアクセス方法。
【請求項１２】
前記アクセス権を規定するデータは、前記ユーザブロック領域の前記ユーザブロックに対するリード／ライトまたはリードオンリのいずれかのアクセスを規定するデータである
ことを特徴とする請求項１０に記載のアクセス方法。
【請求項１３】
１以上のユーザブロックが所定の大きさのブロック単位で管理され、所定のシステムを提供するプロバイダの装置が利用するデータが記憶されるユーザブロック領域が形成される記憶手段を備える情報処理装置の前記ユーザブロック領域にアクセスするアクセス処理用のプログラムであって、
前記情報処理装置に呼びかけを行う呼びかけステップと、
前記呼びかけに応答した前記情報処理装置に対し、コマンドの送信を制御する送信制御ステップと、
前記情報処理装置により処理された前記コマンドに対する送信結果の受信を制御する受信制御ステップと、
前記送信結果を処理する処理ステップと
を含み、
前記送信データは、前記記憶手段の領域定義ブロックに記憶されている、前記ユーザブロックを規定するデータおよび前記ユーザブロックへのアクセス権を規定するデータに基づいて制御される前記ユーザブロックにアクセスするためのコマンドである
ことを特徴とするコンピュータが読み取り可能なプログラムが記録されている記録媒体。
【手続補正３】
【補正対象書類名】明細書
【補正対象項目名】０００１
【補正方法】変更
【補正の内容】
【０００１】
【発明の属する技術分野】
本発明は、情報処理装置および情報処理方法、リーダ/ライタおよびアクセス方法、並びに記録媒体に関し、特に、所定の利用者からのコマンドを受信し、そのコマンドを処理し、処理の結果を送信する情報処理装置および情報処理方法、リーダ/ライタおよびアクセス方法、並びに記録媒体に関する。
【手続補正４】
【補正対象書類名】明細書
【補正対象項目名】００１２
【補正方法】変更
【補正の内容】
【００１２】
【課題を解決するための手段】
請求項１に記載の情報処理装置は、所定のシステムを提供するプロバイダの装置からのコマンドを受信する受信手段と、コマンドを処理する処理手段と、処理の結果を送信する送信手段と、プロバイダの装置が利用するデータを記憶するとともに、1以上のユーザブロックが所定の大きさの単位で管理されるユーザブロック領域と、ユーザブロックの利用を定義する領域定義ブロック領域が形成される記憶手段とを含み、領域定義ブロック領域は、複数の領域定義ブロックからなり、各々の領域定義ブロックには、利用するユーザブロックを規定するデータおよびユーザブロックへのアクセス権を規定するデータが記憶され、領域定義ブロック領域に記録されているデータを利用してコマンドが処理されることを特徴とする。
【手続補正５】
【補正対象書類名】明細書
【補正対象項目名】００１３
【補正方法】変更
【補正の内容】
【００１３】
請求項６に記載の情報処理方法は、プロバイダの装置からのコマンドを受信する受信ステップと、領域定義ブロック領域を利用して、コマンドを処理する処理ステップと、処理の結果を送信する送信ステップとを含むことを特徴とする。
【手続補正６】
【補正対象書類名】明細書
【補正対象項目名】００１４
【補正方法】変更
【補正の内容】
【００１４】
請求項７に記載の記録媒体のプログラムは、プロバイダの装置からのコマンドの受信を制御する受信制御ステップと、領域定義ブロック領域を利用して、コマンドを処理する処理ステップと、処理の結果の送信を制御する送信制御ステップとを含むことを特徴とする。
【手続補正７】
【補正対象書類名】明細書
【補正対象項目名】００１５
【補正方法】変更
【補正の内容】
【００１５】
請求項８に記載のリーダ/ライタは、情報処理装置に送信する送信データおよび情報処理装置から受信した受信データの処理を行うデータ処理手段と、送信データを変調する変調手段と、受信データを復調する復調手段とを含み、送信データは、記憶手段の領域定義ブロックに記憶されている、ユーザブロックを規定するデータおよびユーザブロックへのアクセス権を規定するデータに基づいて制御されるユーザブロックにアクセスするためのコマンドであることを特徴とする。
【手続補正８】
【補正対象書類名】明細書
【補正対象項目名】００１６
【補正方法】変更
【補正の内容】
【００１６】
請求項１０に記載のアクセス方法は、情報処理装置に呼びかけを行う呼びかけステップと、呼びかけに応答した情報処理装置に対し、コマンドを送信する送信ステップと、情報処理装置により処理されたコマンドに対する送信結果を受信する受信ステップと、送信結果を処理する処理ステップとを含み、送信データは、記憶手段の領域定義ブロックに記憶されている、ユーザブロックを規定するデータおよびユーザブロックへのアクセス権を規定するデータに基づいて制御されるユーザブロックにアクセスするためのコマンドであることを特徴とする。
【手続補正９】
【補正対象書類名】明細書
【補正対象項目名】００１７
【補正方法】変更
【補正の内容】
【００１７】
請求項１３に記載の記録媒体のプログラムは、情報処理装置に呼びかけを行う呼びかけステップと、呼びかけに応答した情報処理装置に対し、コマンドの送信を制御する送信制御ステップと、情報処理装置により処理されたコマンドに対する送信結果の受信を制御する受信制御ステップと、送信結果を処理する処理ステップとを含み、送信データは、記憶手段の領域定義ブロックに記憶されている、ユーザブロックを規定するデータおよびユーザブロックへのアクセス権を規定するデータに基づいて制御されるユーザブロックにアクセスするためのコマンドであることを特徴とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】変更
【補正の内容】
【００３３】
請求項１に記載の情報処理装置においては、所定のシステムを提供するプロバイダの装置からのコマンドが受信され、コマンドが処理され、処理の結果が送信され、プロバイダの装置が利用するデータを記憶するとともに、1以上のユーザブロックが所定の大きさの単位で管理されるユーザブロック領域と、ユーザブロックの利用を定義する領域定義ブロック領域が形成される。領域定義ブロック領域は、複数の領域定義ブロックからなり、各々の領域定義ブロックには、利用するユーザブロックを規定するデータおよびユーザブロックへのアクセス権を規定するデータが記憶され、領域定義ブロック領域に記録されているデータを利用してコマンドが処理される。
【手続補正２６】
【補正対象書類名】明細書
【補正対象項目名】００３４
【補正方法】変更
【補正の内容】
【００３４】
請求項６に記載の情報処理方法および請求項７に記載の記録媒体においては、プロバイダの装置からのコマンドが受信され、領域定義ブロック領域を利用して、コマンドが処理され、処理の結果が送信される。
【手続補正２７】
【補正対象書類名】明細書
【補正対象項目名】００３５
【補正方法】変更
【補正の内容】
【００３５】
請求項８に記載のリーダ/ライタにおいては、情報処理装置に送信する送信データおよび情報処理装置から受信した受信データの処理が行われ、送信データが変調され、受信データが復調される。また、送信データは、記憶手段の領域定義ブロックに記憶されている、ユーザブロックを規定するデータおよびユーザブロックへのアクセス権を規定するデータに基づいて制御されるユーザブロックにアクセスするためのコマンドとされる。
【手続補正２８】
【補正対象書類名】明細書
【補正対象項目名】００３６
【補正方法】変更
【補正の内容】
【００３６】
請求項１０に記載のアクセス方法および請求項１３に記載の記録媒体においては、情報処理装置に呼びかけが行われ、呼びかけに応答した情報処理装置に対し、コマンドが送信され、情報処理装置により処理されたコマンドに対する送信結果が受信され、送信結果が処理される。送信データは、記憶手段の領域定義ブロックに記憶されている、ユーザブロックを規定するデータおよびユーザブロックへのアクセス権を規定するデータに基づいて制御されるユーザブロックにアクセスするためのコマンドとされる。
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４１
【補正方法】変更
【補正の内容】
【００４１】
請求項１に記載の情報処理装置は、所定のシステムを提供するプロバイダの装置からのコマンドを受信する受信手段（例えば、図３のアンテナ５３，RFインターフェース部６１、およびBPSK復調回路６２）と、コマンドを処理する処理手段（例えば、図３のシーケンス９１）と、処理の結果を送信する送信手段（例えば、図３のアンテナ５３，RFインターフェース部６１、およびBPSK変調回路６８）と、プロバイダの装置が利用するデータを記憶するとともに、1以上のユーザブロックが所定の大きさの単位で管理されるユーザブロック領域と、ユーザブロックの利用を定義する領域定義ブロック領域が形成される記憶手段（例えば、図３のEEPROM６６）とを含み、領域定義ブロック領域は、複数の領域定義ブロックからなり、各々の領域定義ブロックには、利用するユーザブロックを規定するデータおよびユーザブロックへのアクセス権を規定するデータが記憶され、領域定義ブロック領域に記録されているデータを利用してコマンドが処理されることを特徴とする。
【手続補正３３】
【補正対象書類名】明細書
【補正対象項目名】００４２
【補正方法】変更
【補正の内容】
【００４２】
請求項８に記載のリーダ/ライタは、１以上のユーザブロックが所定の大きさのブロック単位で管理され、所定のシステムを提供するプロバイダの装置が利用するデータが記憶されるユーザブロック領域が形成される記憶手段（例えば、図３のEEPROM６６）を備える情報処理装置のユーザブロック領域にアクセスするリーダ/ライタであって、情報処理装置に送信する送信データおよび情報処理装置から受信した受信データの処理を行うデータ処理手段（例えば、図２のSPU３２）と、送信データを変調する変調手段（例えば、図２の変調回路２３）と、受信データを復調する復調手段（例えば、図２の復調回路２５）とを含み、送信データは、記憶手段の領域定義ブロックに記憶されている、ユーザブロックを規定するデータおよびユーザブロックへのアクセス権を規定するデータに基づいて制御されるユーザブロックにアクセスするためのコマンドであることを特徴とする。
【手続補正３４】
【補正対象書類名】明細書
【補正対象項目名】００４３
【補正方法】削除
【補正の内容】
【手続補正３５】
【補正対象書類名】明細書
【補正対象項目名】００４４
【補正方法】削除
【補正の内容】
【手続補正３６】
【補正対象書類名】明細書
【補正対象項目名】００４５
【補正方法】削除
【補正の内容】
【手続補正３７】
【補正対象書類名】明細書
【補正対象項目名】００４６
【補正方法】削除
【補正の内容】
【手続補正３８】
【補正対象書類名】明細書
【補正対象項目名】００４７
【補正方法】削除
【補正の内容】
【手続補正３９】
【補正対象書類名】明細書
【補正対象項目名】０２１８
【補正方法】変更
【補正の内容】
【０２１８】
【発明の効果】
以上のごとく、請求項１に記載の情報処理装置によれば、所定のシステムを提供するプロバイダの装置からのコマンドが受信され、コマンドが処理され、処理の結果が送信され、プロバイダの装置が利用するデータを記憶するとともに、1以上のユーザブロックが所定の大きさの単位で管理されるユーザブロック領域と、ユーザブロックの利用を定義する領域定義ブロック領域が形成される。また、領域定義ブロック領域は、複数の領域定義ブロックからなり、各々の領域定義ブロックには、利用するユーザブロックを規定するデータおよびユーザブロックへのアクセス権を規定するデータが記憶され、領域定義ブロック領域に記録されているデータを利用してコマンドが処理されるようにしたので、所定の利用者に対して、所定の記憶領域における複数のアクセス権を与えることができる。複数の利用者に、同一の記憶領域を割り当てることができる。複数の利用者に対して、所定の記憶領域における異なるアクセス権を与えることができる。
【手続補正４０】
【補正対象書類名】明細書
【補正対象項目名】０２１９
【補正方法】変更
【補正の内容】
【０２１９】
請求項６に記載の情報処理方法および請求項７に記載の記録媒体によれば、プロバイダの装置からのコマンドが受信され、領域定義ブロック領域を利用して、コマンドが処理され、処理の結果が送信されるようにしたので、所定の利用者に対して、所定の記憶領域における複数のアクセス権を与えることができる。複数の利用者に、同一の記憶領域を割り当てることができる。複数の利用者に対して、所定の記憶領域における異なるアクセス権を与えることができる。
【手続補正４１】
【補正対象書類名】明細書
【補正対象項目名】０２２０
【補正方法】変更
【補正の内容】
【０２２０】
請求項８に記載のリーダ/ライタによれば、情報処理装置に送信する送信データおよび情報処理装置から受信した受信データの処理が行われ、送信データが変調され、受信データが復調される。送信データは、記憶手段の領域定義ブロックに記憶されている、ユーザブロックを規定するデータおよびユーザブロックへのアクセス権を規定するデータに基づいて制御されるユーザブロックにアクセスするためのコマンドであるようにしたので、所定の利用者に対して、所定の記憶領域における複数のアクセス権を与えることができる。複数の利用者に、同一の記憶領域を割り当てることができる。複数の利用者に対して、所定の記憶領域における異なるアクセス権を与えることができる。
【手続補正４２】
【補正対象書類名】明細書
【補正対象項目名】０２２１
【補正方法】変更
【補正の内容】
【０２２１】
請求項１０に記載のアクセス方法および請求項１３の記録媒体によれば、情報処理装置に呼びかけが行われ、呼びかけに応答した情報処理装置に対し、コマンドが送信され、情報処理装置により処理されたコマンドに対する送信結果が受信され、送信結果が処理される。また、送信データは、記憶手段の領域定義ブロックに記憶されている、ユーザブロックを規定するデータおよびユーザブロックへのアクセス権を規定するデータに基づいて制御されるユーザブロックにアクセスするためのコマンドであるようにしたので、所定の利用者に対して、所定の記憶領域における複数のアクセス権を与えることができる。複数の利用者に、同一の記憶領域を割り当てることができる。複数の利用者に対して、所定の記憶領域における異なるアクセス権を与えることができる。
【手続補正４３】
【補正対象書類名】明細書
【補正対象項目名】０２２２
【補正方法】削除
【補正の内容】
【手続補正４４】
【補正対象書類名】明細書
【補正対象項目名】０２２３
【補正方法】削除
【補正の内容】
【手続補正４５】
【補正対象書類名】明細書
【補正対象項目名】０２２４
【補正方法】削除
【補正の内容】